(57)【要約】【課題】キーＯＮ状態の発生を抑制することができるキースイッチ装置、キーボード及びキースイッチ装置の組み立て方法を提供する。【解決手段】キースイッチ装置１００は、キートップ１０２と、互いに連動してキートップを昇降させる一対のリンク部材１０３と、脚部１０６ｂ及び貫通孔１０６ｃを有し、リンク部材を回動可能に固定するフレーム部材１０６と、一対のリンク部材及びフレーム部材が固定される第１面、その裏面である第２面、脚部を挿入する貫通孔１０７ａ、ドームラバーが貫通する貫通孔１０７ｂ及び第２面上に形成された突起状のネジ穴１０７ｃを有する筐体パネル１０７と、ドームラバーが装着され、第２面に対向するメンブレンシート１０４と、メンブレンシートを介して第２面に対向する支持板１０５と、ネジ穴に締結されるネジ１０８とを備える。【選択図】図４
2016035821.tif 000002
【特許請求の範囲】
【請求項１】
操作面を有するキートップと、
互いに連動して前記キートップを昇降させる一対のリンク部材と、
下方に延びる脚部、及び前記キートップを押下する力に対する反力を発生する反力発生部材が貫通する第１貫通孔を有し、前記一対のリンク部材を回動可能に固定するフレーム部材と、
前記フレーム部材が固定される第１面、前記第１面の裏面である第２面、前記脚部を挿入する第２貫通孔、前記反力発生部材が貫通する第３貫通孔、及び前記第２面上に形成された突起状の被締結部を有するパネルと、
前記反力発生部材が装着され、前記第２面に対向し、前記被締結部に嵌められる第４貫通孔を有するシートと、
前記シートを介して前記第２面に対向し、前記被締結部に嵌められる第５貫通孔を有する支持板と、
前記被締結部に締結される締結部材と
を備えることを特徴とするキースイッチ装置。
【請求項２】
前記支持板は導光板であり、
前記パネルは前記導光板からの光を通す第６貫通孔を有し、
前記操作面には透明に加工された文字、数字又は記号が形成されていることを特徴とする請求項１に記載のキースイッチ装置。
【請求項３】
前記被締結部はネジ穴であり、前記締結部材はネジであることを特徴とする請求項１又は２に記載のキースイッチ装置。
【請求項４】
前記被締結部は穴であり、前記締結部材はピンであることを特徴とする請求項１又は２に記載のキースイッチ装置。
【請求項５】
請求項１乃至４のキースイッチ装置が複数配列されていることを特徴とするキーボード。
【請求項６】
互いに連動してキートップを昇降させる一対のリンク部材と当該一対のリンク部材の一部が嵌入されたフレーム部材とを、情報処理装置の筐体に取り付けられるパネルの第１面上に取り付け、
前記キートップを押下する力に対する反力を発生する反力発生部材が装着されたシートを前記第１面の裏面である前記パネルの第２面に対向するように配置し、支持板を前記シートを介して前記第２面に対向するように配置し、前記第２面上に形成された被締結部に締結部材を締結することによって、前記シート及び前記支持板を前記パネルの第２面上に取り付ける
ことを特徴とするキースイッチ装置の組み立て方法。
【発明の詳細な説明】
【技術分野】
【０００１】
本発明は、キー入力に使用されるキースイッチ装置、キーボード及びキースイッチ装置の組み立て方法に関する。
【背景技術】
【０００２】
従来より、一対のリンク部材が、それぞれの端部で互いに噛合することによって連動可能に組み合わされたギアリンク構造を有するキースイッチ装置が知られている（例えば、特許文献１参照）。
【０００３】
図１は、従来のキースイッチ装置の構成図である。図２は、図１のキースイッチ装置が装着される筐体パネルを示す図である。図３（Ａ）は、メンブレンシートの断面図であり、図３（Ｂ）は、図１のキースイッチ装置が筐体パネルに装着された場合のキースイッチ装置及び筐体パネルの断面図である。
【０００４】
図１に示すように、キースイッチ装置１は、キートップ２と、キートップ２を支持すると共に、互いに連動してキートップ２を鉛直方向へ昇降させる一対のリンク部材３と、後述する接点を含むメンブレンシート４と、キースイッチ装置１の構造上の基礎となる支持板５と、リンク部材３の一端を支持板５上に固定的に取り付けるためのフレーム部材６とを備えている。図２の筐体パネル１０には、各キーに対応した孔１０ａが形成されている。図２では、孔１０ａが実線で示され、その孔上に配置されるキートップ２が点線で示されている。孔１０ａのサイズ（面積）は、その孔上に配置されるキートップ２のサイズ（面積）よりも大きい。
【０００５】
図３（Ａ）に示すように、メンブレンシート４は、一対のシート基板４ｃ及び４ｄと、スイッチとして機能する一対の接点４ｅを備えている。シート基板４ｃ及び４ｄは所定距離だけ離れており、間にスペーサ４ｆが設けられている。対となる接点４ｅ同士は対向するように、シート基板４ｃ及び４ｄ上の、スペーサ４ｆが設けられていない位置にそれぞれ形成されている。メンブレンシート４上には、反力発生部材としてのドームラバー４ｂが装着されている。
【０００６】
キースイッチ装置１を組み立てる場合、まず、フレーム部材６の軸受部６ａに一対のリンク部材３の回動軸部３ａが回動可能に嵌入される。そして、一対のリンク部材３が回動可能に嵌入されたフレーム部材６の脚部６ｂが、メンブレンシート４に設けられた貫通穴４ａを介して、支持板５の孔５ａに挿入され、かしめられる。そして、ドームラバー４ｂがメンブレンシート４に装着された状態で、キートップ２の裏面に設けられた案内部２ａにリンク部材３に設けられた突起状の摺動部３ｂが嵌め込まれる。次に、支持板５上にキートップ２、メンブレンシート４、リンク部材３及びフレーム部材６を装着した構造体を図２の筐体パネル１０の裏面に固定する。このとき、メンブレンシート４は両面テープ又は接着剤９で筐体パネル１０の裏面に接着される。これにより、キースイッチ装置１の組み立てが完了する。図３（Ｂ）に組み立て完了後のキースイッチ装置１及び筐体パネル１０の断面を示す。
【先行技術文献】
【特許文献】
【０００７】
【特許文献１】特開２００９−７６３２１号公報
【発明の概要】
【発明が解決しようとする課題】
【０００８】
上述したように、従来のキースイッチ装置１を筐体パネル１０に装着する場合には、メンブレンシート４は両面テープ又は接着剤９で筐体パネル１０の裏面に接着されている（図３（Ｂ）参照）。このため、メンブレンシート４が歪んだり又は変形して、接点４ｅがオンし続けている状態、つまりキーがオンしっぱなしの状態（以下、キーＯＮ状態という）が発生するおそれがある。
【０００９】
本発明は、キーＯＮ状態の発生を抑制することができるキースイッチ装置、キーボード及びキースイッチ装置の組み立て方法を提供することにある。
【課題を解決するための手段】
【００１０】
上記目的を達成するため、明細書に開示されたキースイッチ装置は、操作面を有するキートップと、互いに連動して前記キートップを昇降させる一対のリンク部材と、下方に延びる脚部、及び前記キートップを押下する力に対する反力を発生する反力発生部材が貫通する第１貫通孔を有し、前記一対のリンク部材を回動可能に固定するフレーム部材と、前記フレーム部材が固定される第１面、前記第１面の裏面である第２面、前記脚部を挿入する第２貫通孔、前記反力発生部材が貫通する第３貫通孔、及び前記第２面上に形成された突起状の被締結部を有するパネルと、前記反力発生部材が装着され、前記第２面に対向し、前記被締結部に嵌められる第４貫通孔を有するシートと、前記シートを介して前記第２面に対向し、前記被締結部に嵌められる第５貫通孔を有する支持板と、前記被締結部に締結される締結部材とを備える。
【００１１】
明細書に開示されたキースイッチ装置の組み立て方法は、互いに連動してキートップを昇降させる一対のリンク部材と当該一対のリンク部材の一部が嵌入されたフレーム部材とを、情報処理装置の筐体に取り付けられるパネルの第１面上に取り付け、前記キートップを押下する力に対する反力を発生する反力発生部材が装着されたシートを前記第１面の裏面である前記パネルの第２面に対向するように配置し、支持板を前記シートを介して前記第２面に対向するように配置し、前記第２面上に形成された被締結部に締結部材を締結することによって、前記シート及び前記支持板を前記パネルの第２面上に取り付ける。
【発明の効果】
【００１２】
本発明によれば、キーＯＮ状態の発生を抑制することができる。
【図面の簡単な説明】
【００１３】
【図１】従来のキースイッチ装置の構成図である。
【図２】図１のキースイッチ装置が装着される筐体パネルを示す図である。
【図３】（Ａ）は、メンブレンシートの断面図であり、（Ｂ）は、図１のキースイッチ装置が筐体パネルに装着された場合のキースイッチ装置及び筐体パネルの断面図である。
【図４】第１の実施の形態に係るキースイッチ装置の構成図である。
【図５】図４のＡ−Ａ線におけるキースイッチ装置の断面図である。
【図６】（Ａ）は筐体パネルの一例を示す図であり、（Ｂ）は筐体パネルが情報処理装置の筐体に取り付けられる例を示す図である。
【図７】メンブレンシートの断面図である。
【図８】キースイッチ装置の組み立て方法を示すフローチャートである。
【図９】第２の実施の形態に係るキースイッチ装置の構成図である。
【発明を実施するための形態】
【００１４】
以下、図面を参照しながら本発明の実施の形態を説明する。
【００１５】
（第１の実施の形態）
図４は、第１の実施の形態に係るキースイッチ装置の構成図である。図５は、図４のＡ−Ａ線におけるキースイッチ装置の断面図である。
【００１６】
キースイッチ装置１００は、操作者が押し下げる操作面１０２ａを有するキートップ１０２と、キートップ１０２を支持すると共に、互いに連動してキートップ１０２を鉛直方向へ昇降させる一対のリンク部材１０３−１，１０３−２と、スイッチとして機能する、後述する接点を含むメンブレンシート１０４と、キースイッチ装置１００の構造上の基礎となる平板状の支持板１０５と、リンク部材１０３−１及び１０３−２の一端を支持板１０５上に固定的に取り付けるためのフレーム部材１０６と、ノートパソコンや携帯端末等の情報処理装置の筐体に取り付けられる筐体パネル１０７とを備えている。
【００１７】
フレーム部材１０６には、リンク部材１０３−１及び１０３−２の回動軸部１０３ｄを回動可能に嵌入する軸受部１０６ａが形成されている。また、フレーム部材１０６は、筐体パネル１０７の孔１０７ａに挿入されてかしめられる、鉛直下方に延びる脚部１０６ｂと、フレーム部材１０６が支持板１０５に取り付けられたときにメンブレンシート１０４の開口端１０４ａ及びドームラバー１０４ｂを露出する貫通孔１０６ｃ（第１貫通孔）とを備えている。
【００１８】
筐体パネル１０７は、平板状のパネルであり、フレーム部材１０６の脚部１０６ｂを挿入するための貫通孔１０７ａ（第２貫通孔）と、メンブレンシート１０４の開口端１０４ａ及びドームラバー１０４ｂを露出するための貫通孔１０７ｂ（第３貫通孔）とを備えている。ここで、フレーム部材１０６が取り付けられる筐体パネル１０７の面を表（おもて）面とし、メンブレンシート１０４と対向する筐体パネル１０７の面を裏面とする。筐体パネル１０７の裏面には、メンブレンシート１０４及び支持板１０５をネジ１０８（締結部材）を使ってネジ止めするためのネジ穴１０７ｃ（被締結部）が設けられている。ネジ穴１０７は筐体パネル１０７の裏面から突出するように設けられている。
【００１９】
図６（Ａ）に筐体パネル１０７の一例を示し、図６（Ｂ）に筐体パネル１０７が情報処理装置２００の筐体２０１に取り付けられる例を示す。図６（Ａ）の点線は、キートップ１０２が置かれる位置を示す。図６（Ａ）に示すように、筐体パネル１０７には、キー毎に、４つの貫通孔１０７ａ及び１つの貫通孔１０７ｂが形成されている。また、筐体パネル１０７は、情報処理装置２００の筐体２０１に取り付けるためのタブ１０７ｄを備え、タブ１０７ｄには、情報処理装置２００の筐体２０１にネジ止めするため又は情報処理装置２００の筐体２０１から突出するピン（不図示）を挿入し、ピンをかしめて固定するための貫通孔１０７ｅが形成されている。
【００２０】
図４に戻り、メンブレンシート１０４は、透明な素材で構成されており、開口端１０４ａを有し、筐体パネル１０７のネジ穴１０７ｃと対向する位置に貫通孔１０４ｎ（第４貫通孔）を有する。開口端１０４ａには、キートップ１０２を押下する力に対する反力を発生する反力発生部材としてのドームラバー１０４ｂが装着される。図７にメンブレンシート１０４の断面図を示す。図７に示すように、メンブレンシート１０４は、一対のシート基板１０４ｃ及び１０４ｄと、スイッチとして機能する一対の接点１０４ｅを備えている。シート基板１０４ｃとシート基板１０４ｄとのそれぞれに接点１０４ｅが設けられており、これらの接点１０４ｅが対となっている。シート基板１０４ｃの接点１０４ｅがシート基板１０４ｄの接点１０４ｅと接触することで、接点１０４ｅはオン状態となる。シート基板１０４ｃ及び１０４ｄは所定距離だけ離れており、間にスペーサ１０４ｈが設けられている。対となる接点１０４ｅ同士は対向するように、シート基板１０４ｃ及び１０４ｄ上の、スペーサ１０４ｈに設けられた開口１０４ｉの位置にそれぞれ形成されている。ドームラバー１０４ｂの天井部１０４ｆには突起１０４ｇが形成されている。キートップ２が押下された場合、ドームラバー１０４ｂが挫屈変形し、突起１０４ｇが接点１０４ｅを押下する。これにより、キー入力が実行される。
【００２１】
図４に戻り、支持板１０５は筐体パネル１０７のネジ穴１０７ｃと対向する位置に貫通孔１０５ａ（第５貫通孔）を有する。
【００２２】
図４の一対のリンク部材１０３−１，１０３−２は、樹脂で構成され、それらの一端で互いに噛合して連動可能に組み合わされる。リンク部材１０３−１，１０３−２は、キートップ１０２が昇降動作の上限位置にあるときに側面視Ｖ字状を呈するＶ字ギアリンクの構成を有する。リンク部材１０３−１は、互いに同一方向へ略平行に延びる一対の腕部１０３ａと、腕部１０３ａ間を連結する胴部１０３ｃとを備える。リンク部材１０３−２は、互いに同一方向へ略平行に延びる一対の腕部１０３ｂと、腕部１０３ｂ間を連結する胴部１０３ｃとを備える。
【００２３】
図４では、リンク部材１０３−１において、胴部１０３ｃから離隔する両腕部１０３ａの末端及びその周辺領域を、リンク部材１０３−１の第１端領域と定義する。リンク部材１０３−２において、胴部１０３ｃから離隔する両腕部１０３ｂの末端及びその周辺領域を、リンク部材１０３−２の第１端領域と定義する。また、胴部１０３ｃに隣接する両腕部１０３ａの基端及びその周辺領域を、リンク部材１０３−１の第２端領域と定義する。胴部１０３ｃに隣接する両腕部１０３ｂの基端及びその周辺領域を、リンク部材１０３−２の第２端領域と定義する。
【００２４】
リンク部材１０３−１の第１端領域で且つ一対の腕部１０３ａの互いに対向する内側面には、一対の突起状の回動軸部１０３ｄが互いに設けられている。リンク部材１０３−２の第１端領域で且つ一対の腕部１０３ｂの互いに対向する内側面には、一対の突起状の回動軸部１０３ｄが互いに設けられている。また、リンク部材１０３−１の第２端領域で且つ腕部１０３ａの互いに離反する外側面には、一対の突起状の摺動部１０３ｅが設けられている。また、リンク部材１０３−２の第２端領域で且つ腕部１０３ｂの互いに離反する外側面には、一対の突起状の摺動部１０３ｅが設けられている。さらに、リンク部材１０３−１の一対の腕部１０３ａで且つ第１端領域に第１歯部１０３ｆが設けられ、リンク部材１０３−２の一対の腕部１０３ｂで且つ第１端領域に第２歯部１０３ｇが設けられている。
【００２５】
リンク部材１０３−１及び１０３−２の各々は、第１端領域の一対の回動軸部１０３ｄを、フレーム部材１０６の軸受部１０６ａに回動可能に嵌入し、かつ第２端領域の一対の摺動部１０３ｅを、キートップ１０２の裏面に設けた案内部１０２ｃ（図５参照）に摺動可能に嵌入して、メンブレンシート１０４とキートップ１０２との間に配置される。このとき、第１歯部１０３ｆと第２歯部１０３ｇとが、互いに噛み合わされて連動する。これにより、リンク部材１０３−１及び１０３−２は、連動して互いに回動軸部１０３ｄを中心として回動する。
【００２６】
図５に示すように、キートップ１０２の裏面には、リンク部材１０３の摺動部１０３ｅを水平方向に案内する案内部１０２ｃが形成されている。
【００２７】
図８は、キースイッチ装置１００の組み立て方法を示すフローチャートである。実際に、キースイッチ装置１００を組み立てる場合には、部品の配置は図４の配置と逆になる。即ち、キートップ１０２が一番下に置かれ、フレーム部材１０６、リンク部材１０３、筐体パネル１０７、メンブレンシート１０４が順番に置かれて、一番上に支持板１０５が置かれる。また、キースイッチ装置１００の組み立て方法は、公知の組立装置を使用して、実行される。
【００２８】
まず、キートップ１０２の裏面に設けられた案内部１０２ｃにリンク部材１０３−１及び１０３−２の摺動部１０３ｅを嵌め込む（ステップＳ１）。次に、キートップ１０２の裏面の略中央にフレーム部材１０６を配置し、フレーム部材１０６の軸受部１０６ａにリンク部材１０３−１及び１０３−２の回動軸部１０３ｄが嵌入される（ステップＳ２）。次に、リンク部材１０３−１及び１０３−２が嵌入されたフレーム部材１０６の脚部１０６ｂが筐体パネル１０７の貫通孔１０７ａに挿入され、かしめられる（熱でかしめる）（ステップＳ３）。これにより、キートップ１０２、リンク部材１０３−１及び１０３−２、及びフレーム部材１０６は筐体パネル１０７の表（おもて）面側に固定される。
【００２９】
次に、メンブレンシート４の開口端１０４ａ及びドームラバー１０４ｂを筐体パネル１０７の貫通孔１０７ｂに挿入し、且つメンブレンシート４の貫通孔１０４ｎを筐体パネル１０７の裏面から突出しているネジ穴１０７ｃに嵌める（ステップＳ４）。次いで、支持板１０５の貫通孔１０５ａを筐体パネル１０７の裏面から突出しているネジ穴１０７ｃに嵌める（ステップＳ５）。最後に、ネジ１０８をネジ穴１０７ｃに締結する（ステップＳ６）。これにより、メンブレンシート１０４及び支持板１０５が筐体パネル１０７の裏面側に固定される。
【００３０】
従来の組み立て方法によれば、ドームラバーがメンブレンシートに装着された状態で、キートップをリンク部材に装着していたため、キートップの装着時にキートップがドームラバーに接触し、ドームラバーが傾いたり、傷つくおそれがあった。
【００３１】
一方、図８の組み立て方法によれば、キートップ１０２、リンク部材１０３−１及び１０３−２、及びフレーム部材１０６が筐体パネル１０７の表（おもて）面側に固定され、その後にメンブレンシート１０４に装着されたドームラバー１０４ｂが筐体パネル１０７の裏面側からフレーム部材１０６の貫通孔１０６ｃ及び筐体パネル１０７の貫通孔１０７ｂに挿入される。このため、ドームラバー１０４ｂがキートップ１０２に接触することがなく、ドームラバー１０４ｂが傾いたり、傷つくことを回避できる。
【００３２】
（第２の実施の形態）
第２の実施の形態では、第１の実施の形態と異なる特徴について説明する。図９は、第２の実施の形態に係るキースイッチ装置の構成図である。
【００３３】
図９のキースイッチ装置１０１では、支持板１０５に代えて、導光板１１５が使用される。導光板１１５は、筐体パネル１０７のネジ穴１０７ｃと対向する位置に貫通孔１１５ａを有する。導光板１１５は不図示の発光源に接続されており、当該発光源からの光を放出する。メンブレンシート１０４は、透明であるため、導光板１１５からの光を筐体パネル１０７の方向に透過する。筐体パネル１０７には、４つの貫通孔１０７ｂを囲むように、光を通す貫通孔１０７ｄ（第６貫通孔）が設けられている。尚、貫通孔１０７ｄの形状や個数は、図９の例に限定されるわけではない。キートップ１０２の操作面１０２ａには、レーザ加工等によって光が透過するように透明に加工された文字１０２ｂ（文字１０２ｂは数字又は記号等も含む）が形成されている。
【００３４】
キースイッチ装置１０１のその他の構成は、第１の実施の形態のキースイッチ装置１００の対応する構成と同一である。また、キースイッチ装置１０１の組み立て方法は、図８のキースイッチ装置１００の組み立て方法と同様である。
【００３５】
第２の実施の形態によれば、導光板１１５からの光が、メンブレンシート１０４を透過し、貫通孔１０７ｄ及び透明に加工された文字１０２ｂを通過して、操作者の目に届く。従って、照光型のキースイッチ装置を提供することができる。
【００３６】
上記第１の実施の形態及び第２の実施の形態では、筐体パネル１０７の裏面に突起状のネジ穴１０７ｃを形成し、ネジ１０８をネジ穴１０７ｃに締結することで、メンブレンシート１０４及び支持板１０５を筐体パネル１０７の裏面に固定している。しかし、メンブレンシート１０４及び支持板１０５を筐体パネル１０７の裏面に固定する方法は、これに限定するものではない。例えば、ネジ穴１０７ｃに代えてねじ山のない穴を形成し、頭部のあるピンを当該ねじ山のない穴に圧入したり、又はリベットを当該ねじ山のない穴に嵌入し、リベットの頭部をかしめるようにしてもよい。
【００３７】
以上説明したように、上記実施の形態によれば、キースイッチ装置１００は、操作面１０２ａを有するキートップ１０２と、互いに連動してキートップ１０２を鉛直方向へ昇降させる一対のリンク部材１０３−１，１０３−２と、鉛直下方に延びる脚部１０６ｂ及びキートップ１０２を押下する力に対する反力を発生するドームラバー１０４ｂを露出する貫通孔１０６ｃを有し、一対のリンク部材１０３−１，１０３−２を回動可能に固定するフレーム部材１０６と、情報処理装置２００の筐体２０１に取り付けられると共に、一対のリンク部材１０３−１，１０３−２及びフレーム部材１０６が固定される第１面（おもて面）、前記第１面の裏面である第２面（裏面）、脚部１０６ｂを挿入する貫通孔１０７ａ、ドームラバー１０４ｂを露出する貫通孔１０７ｂ、及び第２面上に形成された突起状の被締結部１０７ｃを有する筐体パネル１０７と、ドームラバー１０４ｂが装着され、第２面に対向し、ネジ穴１０７ｃに嵌められる貫通孔１０４ｎを有するメンブレンシート１０４と、メンブレンシート１０４を介して第２面に対向し、ネジ穴１０７ｃに嵌められる貫通孔１０５ａを有する支持板１０５と、ネジ穴１０７ｃに締結されるネジ１０８とを備えている。
【００３８】
従って、メンブレンシート１０４は両面テープ又は接着剤で筐体パネル１０７の裏面に接着されてことがなく、メンブレンシート４が歪んだり又は変形することが回避される。よって、メンブレンシート１０４内の接点１０４ｅがオンし続けている状態、つまりキーＯＮ状態の発生を抑制することができる。
【００３９】
また、上記実施の形態によれば、互いに連動してキートップ１０２を鉛直方向へ昇降させる一対のリンク部材１０３−１，１０３−２と当該一対のリンク部材１０３−１，１０３−２の一部１０３ｄが嵌入されたフレーム部材１０６とを、情報処理装置２００の筐体２０１に取り付けられる筐体パネル１０７の第１面（おもて面）上に取り付け、キートップ１０２を押下する力に対する反力を発生するドームラバー１０４ｂが装着されたメンブレンシート１０４を第１面の裏面である筐体パネル１０７の第２面（裏面）に対向するように配置し、支持板１０５をメンブレンシート１０４を介して第２面に対向するように配置し、第２面上に形成されたネジ穴１０７ｃにネジ１０８を締結することによって、メンブレンシート１０４及び支持板１０５を筐体パネル１０７の第２面上に取り付ける。
【００４０】
従って、メンブレンシート１０４は両面テープ又は接着剤で筐体パネル１０７の裏面に接着されることがなく、メンブレンシート４が歪んだり又は変形することが回避される。よって、メンブレンシート１０４内の接点１０４ｅがオンし続けている状態、つまりキーＯＮ状態の発生を抑制することができる。また、ドームラバー１０４ｂがキートップ１０２に接触することがなく、ドームラバー１０４ｂが傾いたり、傷つくことを回避できる。
【００４１】
尚、本発明は、上述した実施の形態に限定されるものではなく、その要旨を逸脱しない範囲内で種々変形して実施することが可能である。
【符号の説明】
【００４２】
１００、１０１  キースイッチ装置
１０２  キートップ
１０３  リンク部材
１０４  メンブレンシート
１０５  支持板
１０６  フレーム部材
１０７  筐体パネル
【図１】
2016035821.tif 000003
【図２】
2016035821.tif 000004
【図３】
2016035821.tif 000005
【図４】
2016035821.tif 000006
【図５】
2016035821.tif 000007
【図６】
2016035821.tif 000008
【図７】
2016035821.tif 000009
【図８】
2016035821.tif 000010
【図９】
2016035821.tif 000011